(57)【要約】【課題】  ＭＷＢ画像選択画面で指定可能な画像のみ表示する。【解決手段】  ＭＷＢで指定できる画像は限られているため、指定可能な画像だけを表示することにより、ユーザーの使い勝手をよくする。【選択図】  図２
2006203773.tif 000002
【特許請求の範囲】
【請求項１】
撮影画像表示部材を有し、ＷＢ（ホワイトバランス）の設定において既存の撮影画像からＷＢの設定値を得るＭＷＢ（マニュアルホワイトバランス）画像選択機能を有する撮像装置において、前記ＭＷＢ画像選択機能の画像選択画面では、設定可能な画像を明示することを特徴とする画像表示方法。
【請求項２】
前記ＭＷＢ画像選択機能の画像選択画面において、設定可能な画像だけを表示することを特徴する、請求項１の画像表示方法。
【請求項３】
前記ＭＷＢ画像選択機能の画像選択画面において、設定可能な画像にマークをつけることを特徴する、請求項１の画像表示方法。
【発明の詳細な説明】
【技術分野】
【０００１】
本発明は、静止画像を撮像、記録、再生する撮像装置のＭＷＢ画像選択画面の表示方法に関する。
【背景技術】
【０００２】
従来、撮像装置へのＷＢの設定は不可欠であり、ＷＢの設定方法としては、オート・太陽光・曇等数種類の設定値群から選択する方法や、色温度を直に設定する方法、ＭＷＢ画像選択により設定する方法が代表的であり、前記のＷＢ設定方法を有するデジタルカメラ等の撮像装置はすでに市販されている。
又、別の従来例としては、例えば特許文献１をあげることが出来る。
【特許文献１】特開２０００−１１５５８８号公報
【発明の開示】
【発明が解決しようとする課題】
【０００３】
しかしながら、ＭＷＢ画像として設定可能な画像は限られており、他機種で撮影した画像、光量が極端に足りない画像等は指定する事ができない。ユーザが設定できない画像を知るためには、過去の撮影状況や、表示画像の様子から推測することが必要で、本当に設定出来るか否かは選択後に初めて判るため、ユーザがＭＷＢ画像を選択する際に判りづらいといった問題があった。
【０００４】
本発明は、上述の問題点に鑑みて為されたもので、その目的とする処は、
ＭＷＢ画像選択設定画面において、設定可能な画像にマークを付けたり、設定可能な画像だけ表示するといった方法で明示的にすることにより、ユーザが設定不可能な画像を選択するといった操作を無くすことが可能な画像表示方法を提供することにある。
【課題を解決するための手段】
【０００５】
このため、本発明においては、下記の各項（１）〜（３）に示す画像情報表示方法を提供することにより、前記目的を達成しようとするものである。
【０００６】
（１）撮影画像表示部材を有し、ＷＢ（ホワイトバランス）の設定において既存の撮影画像からＷＢの設定値を得るＭＷＢ（マニュアルホワイトバランス）画像選択機能を有する撮像装置において、前記ＭＷＢ画像選択機能の画像選択画面では、設定可能な画像を明示することを特徴とする画像表示方法。
【０００７】
（２）前記ＭＷＢ画像選択機能の画像選択画面において、設定可能な画像だけを表示することを特徴する、前記（１）項の画像表示方法。
【０００８】
（３）前記ＭＷＢ画像選択機能の画像選択画面において、設定可能な画像にマークをつけることを特徴する、前記（１）項の画像表示方法。
【発明の効果】
【０００９】
以上説明したように、本発明は、上述の問題点に鑑みて為されたもので、その目的とする処は、ＭＷＢ画像選択設定画面において、設定可能な画像にマークを付けたり、設定可能な画像だけ表示するといった方法で明示的にすることにより、ユーザが設定不可能な画像を選択するといった操作を無くすことが可能な画像表示方法を提供することができる。
【発明を実施するための最良の形態】
【００１０】
以下、本発明の実施の形態を説明する。
【００１１】
以下、実施例について図面を参照して述べる。
【００１２】
図１は、本発明の実施例の構成を示す図であり、デジタルカメラの表示系で使用される構成の一部である。
【００１３】
１０は画像処理装置の一部である。
【００１４】
１１はメモリであり、システム制御回路１７の動作用の定数、変数、プログラム等を記憶する。
【００１５】
１２は不揮発性メモリであり、電気的に消去・記録可能であり、例えばＥＥＰＲＯＭ等が用いられる。
【００１６】
１３は表示部であり、システム制御回路１７でのプログラムの実行に応じて、文字、画像、音声などを用いて動作状態やメッセージなどを表示する液晶表示装置、スピーカー等の表示部であり、例えばＴＦＴやＬＣＤやＬＥＤ、発音素子等の組み合わせにより構成され、単数或いは複数個所設置される。
【００１７】
１４は操作部であり、各種ボタンやタッチパネル等からなり、表示部１３への表示や、カメラ操作に用いられる。
【００１８】
１５はインタフェース、１６はメモリカードやハードディスク等の記録媒体との接続を行うコネクタである。
【００１９】
１７はシステム制御回路であり、画像処理装置１０全体を制御する。
【００２０】
２０は記録媒体であり、メモリカードやハードディスク等である。
【００２１】
２１は記録部、２２はインタフェース、２３はコネクタである。
【００２２】
記録媒体２０は、半導体メモリや磁気ディスク等から構成される記録部２１、画像処理装置１０とのインタフェース２２、画像処理装置１０と接続を行うコネクタ２３を備えている。
【００２３】
図７に、画像を表示部１３のＴＦＴ等へ複数枚表示した際の表示例を示す。
【００２４】
（１）  は通常の画像表示例であり、（２）は本実施例であるＭＷＢ設定画面の表示例である。
【００２５】
（１）で表示している画像Ｃ，Ｄ，Ｅ，Ｆ，ＧはＭＷＢ設定不可能な画像である為、（２）の表示例では表示されない。
【００２６】
図２乃至図６を参照して、本発明の実施例の動作を説明する。
【００２７】
図２に、本発明の実施例のＭＷＢ設定画面の画像表示のメインフローチャートを示す。
【００２８】
ＭＷＢ設定画面の画像表示要求により、記録部２１に存在する画像データからＭＷＢ設定可能な画像ＩＤリストをメモリ１１に作成する（Ｓ２０１、図３）。Ｓ２０１で取得したリストをチェックし（Ｓ２０２）、画像ＩＤリストにデータが設定されていない場合には警告表示を行う（Ｓ２０４）。画像ＩＤリストにデータが存在する場合は画像を表示部１３のＴＦＴ等に表示する（Ｓ２０３）。その後イベント待機状態になり（Ｓ２０５）、ＭＷＢ設定画面表示終了イベントが来たら処理を終了する。
【００２９】
終了イベント以外の場合には、Ｓ２０１の処理に戻る。
【００３０】
図３に、本発明の実施例のＭＷＢ設定可能な画像ＩＤリスト取得のフローチャートを示す。
【００３１】
本フローチャートは、図２のＭＷＢ設定画面の画像表示のメインフローチャートからどのように呼ばれたかを調査し、表示開始時の画像ＩＤリスト取得か、次画面表示イベント受付け後か、または、前画面表示イベント受付け後か判断する（Ｓ３０１）。
【００３２】
表示開始時の画像ＩＤリスト取得の場合には、変数“画像Ｘ”にカレントの画像ＩＤを設定し（Ｓ３０７）、カレントリスト取得で画像ＩＤを取得した後（Ｓ３０８、図４）、画像ＩＤリスト中の最大値と最小値を記憶し（Ｓ３１３）、処理を終了する。
【００３３】
次画面表示イベント受付け後の画像ＩＤリスト取得の場合には、前回本フローチャートの処理が呼ばれた際、画像ＩＤリスト作成時に最後の画像まで調べたかをチェックする（Ｓ３０２）。もし最後の画像まで調べていない場合には、前回本フローチャートが呼ばれた際に記憶した最大値を画像Ｘに設定し（Ｓ３０３）、次画面リスト取得で画像ＩＤを取得する（Ｓ３０４，図５）。画像ＩＤを一つ以上取得できた場合には（Ｓ３０５）、画像ＩＤリスト中の最大値と最小値を記憶し（Ｓ３１３）、処理を終了する。
【００３４】
Ｓ３０２のチェックで前回本フローチャートの処理が呼ばれた際のチェックで最後まで調べた場合や、Ｓ３０５のチェックで画像ＩＤを一つも取得できなかった場合には、画像Ｘに先頭の画像ＩＤを設定し（Ｓ３０６）、カレントリスト取得で画像ＩＤを取得した後（Ｓ３０８、図４）、画像ＩＤリスト中の最大値と最小値を記憶し（Ｓ３１３）、処理を終了する。
【００３５】
前画面表示イベント受付け後の画像ＩＤリスト取得の場合には、前回本フローチャートの処理が呼ばれた際、画像ＩＤリスト作成時に最初の画像まで調べたかをチェックする（Ｓ３０９）。もし最初の画像まで調べていない場合には、前回本フローチャートが呼ばれた際に記憶した最小値を画像Ｘに設定し（Ｓ３１０）、前画面リスト取得で画像ＩＤを取得する（Ｓ３１１，図６）。画像ＩＤを一つ以上取得できた場合には（Ｓ３１２）、画像ＩＤリスト中の最大値と最小値を記憶し（Ｓ３１３）、処理を終了する。
【００３６】
Ｓ３０９のチェックで前回本フローチャートの処理が呼ばれた際のチェックで最初まで調べた場合や、Ｓ３１２のチェックで画像ＩＤを一つも取得できなかった場合には、画像Ｘに最後の画像ＩＤを設定し（Ｓ３１４）、カレントリスト取得で画像ＩＤを取得した後（Ｓ３０８、図４）、画像ＩＤリスト中の最大値と最小値を記憶し（Ｓ３１３）、処理を終了する。
【００３７】
図４に特定の画像ＩＤを含む画像ＩＤリスト取得のフローチャートを示す。
【００３８】
本フローチャートが呼ばれると、ＭＷＢ設定可能な画像ＩＤリスト取得のフローチャート（図３）で設定した画像Ｘの値を変数“画像Ｙ”に設定する（Ｓ４０１）。
【００３９】
画像Ｙが正しい画像ＩＤである場合には（Ｓ４０２）、画像ＹがＭＷＢ設定可能な画像かチェックを行い（Ｓ４０３）、可能な場合には画像Ｙの画像ＩＤを画像ＩＤリストに記憶する（Ｓ４０４）。一度の表示で必要な画像ＩＤの個数を満たした場合には（Ｓ４０５）、処理を終了する。
【００４０】
Ｓ４０５のチェックで満たしていない場合には、画像Ｙの次の画像ＩＤを取得した後に画像Ｙに設定し（Ｓ４０６）、Ｓ４０２の処理に戻る。
【００４１】
Ｓ４０３のチェックで画像ＹがＭＷＢ設定不可能な画像と判断した場合には、画像Ｙの次の画像ＩＤを取得した後に画像Ｙに設定し（Ｓ４０６）、Ｓ４０２の処理に戻る。
【００４２】
Ｓ４０２のチェックで正しい画像ＩＤでないと判断した場合には、画像Ｘの一つ前の画像ＩＤを画像Ｙに設定する（Ｓ４０７）。
【００４３】
画像Ｙが正しい画像ＩＤである場合には（Ｓ４０８）、画像ＹがＭＷＢ設定可能な画像かチェックを行い（Ｓ４０９）、可能な場合には画像Ｙの画像ＩＤを画像ＩＤリストに記憶する（Ｓ４１０）。一度の表示で必要な画像ＩＤの個数を満たした場合には（Ｓ４１１）、処理を終了する。
【００４４】
Ｓ４１１のチェックで満たしていない場合には、画像Ｙの前の画像ＩＤを取得した後に画像Ｙに設定し（Ｓ４１２）、Ｓ４０８の処理に戻る。
【００４５】
Ｓ４０９のチェックで画像ＹがＭＷＢ設定不可能な画像と判断した場合には、画像Ｙの前の画像ＩＤを取得した後に画像Ｙに設定し（Ｓ４１２）、Ｓ４０８の処理に戻る。
【００４６】
Ｓ４０８のチェックで正しい画像ＩＤでないと判断した場合には処理を終了する。
【００４７】
図５に次画面表示用画像ＩＤリスト取得のフローチャートを示す。
【００４８】
本フローチャートが呼ばれると、ＭＷＢ設定可能な画像ＩＤリスト取得のフローチャート（図３）で設定した画像Ｘの次の画像ＩＤを変数“画像Ｙ”に設定する（Ｓ５０１）。
【００４９】
画像Ｙが正しい画像ＩＤである場合には（Ｓ５０２）、画像ＹがＭＷＢ設定可能な画像かチェックを行い（Ｓ５０３）、可能な場合には画像Ｙの画像ＩＤを画像ＩＤリストに記憶する（Ｓ５０４）。一度の表示で必要な画像ＩＤの個数を満たした場合には（Ｓ５０５）、処理を終了する。
【００５０】
Ｓ５０５のチェックで満たしていない場合には、画像Ｙの次の画像ＩＤを取得した後に画像Ｙに設定し（Ｓ５０６）、Ｓ５０２の処理に戻る。
【００５１】
Ｓ５０３のチェックで画像ＹがＭＷＢ設定不可能な画像と判断した場合には、画像Ｙの次の画像ＩＤを取得した後に画像Ｙに設定し（Ｓ５０６）、Ｓ５０２の処理に戻る。
【００５２】
Ｓ５０２のチェックで正しい画像ＩＤでないと判断した場合には、Ｓ５０４で記憶した画像ＩＤリストに存在する画像ＩＤを調べ（Ｓ５０７）、記憶した画像ＩＤが一つ以上存在する場合には画像Ｘの一つ前の画像ＩＤを画像Ｙに設定する（Ｓ５０８）。
【００５３】
画像Ｙが正しい画像ＩＤである場合には（Ｓ５０９）、画像ＹがＭＷＢ設定可能な画像かチェックを行い（Ｓ５１０）、可能な場合には画像Ｙの画像ＩＤを画像ＩＤリストに記憶する（Ｓ５１１）。一度の表示で必要な画像ＩＤの個数を満たした場合には（Ｓ５１２）、処理を終了する。
【００５４】
Ｓ５１２のチェックで満たしていない場合には、画像Ｙの前の画像ＩＤを取得した後に画像Ｙに設定し（Ｓ５１３）、Ｓ５０９の処理に戻る。
【００５５】
Ｓ５１０のチェックで画像ＹがＭＷＢ設定不可能な画像と判断した場合には、画像Ｙの前の画像ＩＤを取得した後に画像Ｙに設定し（Ｓ５１３）、Ｓ５０９の処理に戻る。
【００５６】
Ｓ５０７のチェックで画像ＩＤリスト中に画像ＩＤが一つも存在しない場合は処理を終了する。
【００５７】
Ｓ５０９のチェックで正しい画像ＩＤでないと判断した場合には処理を終了する。
【００５８】
図６に前画面表示用画像ＩＤリスト取得のフローチャートを示す。
【００５９】
本フローチャートが呼ばれると、ＭＷＢ設定可能な画像ＩＤリスト取得のフローチャート（図３）で設定した画像Ｘの次の画像ＩＤを変数“画像Ｙ”に設定する（Ｓ６０１）。
【００６０】
画像Ｙが正しい画像ＩＤである場合には（Ｓ６０２）、画像ＹがＭＷＢ設定可能な画像かチェックを行い（Ｓ６０３）、可能な場合には画像Ｙの画像ＩＤを画像ＩＤリストに記憶する（Ｓ６０４）。一度の表示で必要な画像ＩＤの個数を満たした場合には（Ｓ６０５）、処理を終了する。
【００６１】
Ｓ６０５のチェックで満たしていない場合には、画像Ｙの前の画像ＩＤを取得した後に画像Ｙに設定し（Ｓ６０６）、Ｓ６０２の処理に戻る。
【００６２】
Ｓ６０３のチェックで画像ＹがＭＷＢ設定不可能な画像と判断した場合には、画像Ｙの前の画像ＩＤを取得した後に画像Ｙに設定し（Ｓ６０６）、Ｓ６０２の処理に戻る。
【００６３】
Ｓ６０２のチェックで正しい画像ＩＤでないと判断した場合には、Ｓ６０４で記憶した画像ＩＤリストに存在する画像ＩＤを調べ（Ｓ６０７）、記憶した画像ＩＤが一つ以上存在する場合には画像Ｘの次の画像ＩＤを画像Ｙに設定する（Ｓ６０８）。
【００６４】
画像Ｙが正しい画像ＩＤである場合には（Ｓ６０９）、画像ＹがＭＷＢ設定可能な画像かチェックを行い（Ｓ６１０）、可能な場合には画像Ｙの画像ＩＤを画像ＩＤリストに記憶する（Ｓ６１１）。一度の表示で必要な画像ＩＤの個数を満たした場合には（Ｓ６１２）、処理を終了する。
【００６５】
Ｓ６１２のチェックで満たしていない場合には、画像Ｙの次の画像ＩＤを取得した後に画像Ｙに設定し（Ｓ６１３）、Ｓ６０９の処理に戻る。
【００６６】
Ｓ６１０のチェックで画像ＹがＭＷＢ設定不可能な画像と判断した場合には、画像Ｙの次の画像ＩＤを取得した後に画像Ｙに設定し（Ｓ６１３）、Ｓ６０９の処理に戻る。
【００６７】
Ｓ６０７のチェックで画像ＩＤリスト中に画像ＩＤが一つも存在しない場合は処理を終了する。
【００６８】
Ｓ６０９のチェックで正しい画像ＩＤでないと判断した場合には処理を終了する。
【００６９】
図７に表示用のフローチャートを示す。
【００７０】
表示部１３に表示する画像が１枚表示の場合には（Ｓ７０１）、画像を表示し（Ｓ７０６）、処理を終了する。
【００７１】
Ｓ７０１のチェックで１枚表示以外だった場合には、メモリ１１で記憶している画像ＩＤリストを検索し、リスト中の一番小さい画像ＩＤを取得し（Ｓ７０２）、その画像ＩＤに対応する画像を表示する（Ｓ７０３）。画像ＩＤリスト中の全画像ＩＤの表示が終了した場合には（Ｓ７０４）、処理を終了する。Ｓ７０４のチェックでまだ表示していない画像ＩＤが存在する場合には、画像ＩＤリスト中の表示していない一番小さい画像ＩＤを取得し（Ｓ７０５）、Ｓ７０３の処理に戻る。
【００７２】
このように本発明によれば、ＭＷＢ画像選択設定画面において、設定可能な画像にマークを付けたり、設定可能な画像だけ表示するといった方法で明示的にすることにより、ユーザが設定不可能な画像を選択するといった操作を無くすことが可能である。
【００７３】
図８に本実施例の表示の一例を示す。
【図面の簡単な説明】
【００７４】
【図１】本発明の一実施例の構成ブロック図の一部である。
【図２】本実施例のＭＷＢ設定画面の画像表示のメインフローチャートである。
【図３】本実施例のＭＷＢ設定可能な画像ＩＤリスト取得のフローチャートである。
【図４】本実施例の特定の画像ＩＤを含む画像ＩＤリスト取得のフローチャートである。
【図５】本実施例の次画面表示用画像ＩＤリスト取得のフローチャートである。
【図６】本実施例の前画面表示用画像ＩＤリスト取得のフローチャートである。
【図７】本実施例の表示用のフローチャートである。
【図８】本実施例の表示の一例である。
【符号の説明】
【００７５】
１３  表示部
１４  操作部
１７  システム制御回路
２０  記録媒体
【図１】
2006203773.tif 000003
【図２】
2006203773.tif 000004
【図３】
2006203773.tif 000005
【図４】
2006203773.tif 000006
【図５】
2006203773.tif 000007
【図６】
2006203773.tif 000008
【図７】
2006203773.tif 000009
【図８】
2006203773.tif 000010